(57)【要約】【課題】不燃性および飛散防止効果を得ることができる直管形ランプを提供する。【解決手段】直管形ランプ10は、半導体発光素子23を有する発光モジュール16が直管形の管体17に収容されている。管体17は、透光性を有する樹脂カバー26を備え、樹脂カバー26の外面に沿って透光性を有する不燃シート12が巻き付けられている。固定部材13により管体17の長手方向に沿って不燃シート12の両側部12aを樹脂カバー26との間に挟み込んで固定する。【選択図】図１
2013201102.tif 000002
【特許請求の範囲】
【請求項１】
半導体発光素子を有する発光モジュールと；
透光性を有する樹脂カバーを備え、発光モジュールを収容する直管形の管体と；
樹脂カバーの外面に沿って巻き付けられる透光性を有する不燃シートと；
管体の長手方向に沿って不燃シートの両側部を樹脂カバーとの間に挟み込んで固定する固定部材と；
を具備していることを特徴とする直管形ランプ。
【請求項２】
樹脂カバーは、円筒状に形成されるとともに、発光モジュールからの光の照射方向に対して反対側となる外面に窪み部が長手方向に沿って形成され、
固定部材は、不燃シートの両側部を樹脂カバーの窪み部との間に挟み込んで、窪み部に取り付けられている
ことを特徴とする請求項１記載の直管形ランプ。
【請求項３】
管体は、樹脂カバーと組み合わされて直管形となる金属カバーを備え、
固定部材は、金属カバーであり、樹脂カバーとの間で不燃シートの両側部を挟み込んで固定する
ことを特徴とする請求項１記載の直管形ランプ。
【請求項４】
請求項１ないし３いずれか一記載の直管形ランプと；
直管形ランプを配置する器具本体と；
を具備していることを特徴とする照明器具。
【発明の詳細な説明】
【技術分野】
【０００１】
本発明の実施形態は、半導体発光素子を用いた直管形ランプ、およびこの直管形ランプを用いた照明器具に関する。
【背景技術】
【０００２】
従来、例えば車両の車内灯に用いられる車両用の照明器具としては、直管形ランプがグローブで覆われた照明器具、および直管形ランプが露出する照明器具がある。
【０００３】
このような車両用の照明器具において不燃構造を採用する場合、直管形ランプがグローブで覆われた車両用の照明器具では、ガラス繊維を基材とした不燃性のグローブを用いることで対応できる。
【０００４】
直管形ランプが露出する車両用の照明器具では、露出している直管形ランプ自体が不燃性を有している必要がある。ガラス管を用いている直管形ランプの場合には、不燃性が得られる。また、半導体発光素子を用いた直管形ランプでは、樹脂カバーを用いていることが多く、この場合には不燃性が得られない。
【先行技術文献】
【特許文献】
【０００５】
【特許文献１】特開２０１１−２２２４２４号公報
【発明の概要】
【発明が解決しようとする課題】
【０００６】
上述のように、半導体発光素子を用いた直管形ランプの場合、樹脂カバーを用いていると、不燃性が得られない。また、樹脂カバーに代えてガラス管を用いれば、不燃性が得られるが、破損時にガラスが飛散するおそれがあるので、飛散防止効果を得るために樹脂製の飛散防止部材でガラスカバーの外面を覆わなければならない。しかし、樹脂製の飛散防止部材を用いることで、不燃性が得られなくなる。
【０００７】
本発明が解決しようとする課題は、不燃性および飛散防止効果を得ることができる直管形ランプ、およびこの直管形ランプを用いた照明器具を提供することである。
【課題を解決するための手段】
【０００８】
実施形態の直管形ランプは、半導体発光素子を有する発光モジュールが直管形の管体に収容されている。管体は、透光性を有する樹脂カバーを備え、樹脂カバーの外面に沿って透光性を有する不燃シートが巻き付けられている。固定部材により管体の長手方向に沿って不燃シートの両側部を樹脂カバーとの間に挟み込んで固定する。
【発明の効果】
【０００９】
本発明によれば、樹脂カバーを不燃シートで覆うため、不燃性および飛散防止効果を得ることができ、さらに、固定部材により、管体の長手方向に沿って不燃シートの両側部を樹脂カバーとの間に挟み込んで固定できるため、製造を容易にでき、不燃シートの形状維持も確実にできる。
【図面の簡単な説明】
【００１０】
【図１】第１の実施形態を示す直管形ランプの断面図を示し、(a)は固定部材を組み立てる前の断面図、(b)は固定部材を組み立てた状態の断面図である。
【図２】同上直管形ランプを用いた照明器具の側面図である。
【図３】第２の実施形態を示す直管形ランプの断面図である。
【発明を実施するための形態】
【００１１】
以下、第１の実施形態を、図１および図２を参照して説明する。
【００１２】
直管形ランプ10は、ランプ本体11、このランプ本体11に巻き付けられる１枚の不燃シート12、およびこの不燃シート12をランプ本体11に固定する１つの固定部材13を有している。
【００１３】
そして、ランプ本体11は、発光モジュール16、この発光モジュール16を収容する直管形の管体17、およびこの管体17の両端に取り付けられる口金18，19を有している。
【００１４】
発光モジュール16は、長手方向に沿って細長い基板21、およびこの基板21の一面に基板21の長手方向に沿って所定の間隔をあけて設けられた複数の発光部22を有している。各発光部22は、基板21に実装された半導体発光素子としてのＬＥＤ素子23、およびこのＬＥＤ素子23を覆う蛍光体を含有した封止樹脂24を有している。ＬＥＤ素子23が発生する青色光で蛍光体が励起されて黄色光を発生し、封止樹脂24の表面から青色光と黄色光とが混色された白色の光を放射する。なお、半導体発光素子としては、例えば有機ＥＬ素子などの他の素子を用いてもよい。
【００１５】
管体17は、透光性を有する合成樹脂製で、円筒状の直管状に押出成形によって一体に形成された樹脂カバー26を有している。樹脂カバー26の内面には、発光モジュール16からの光を樹脂カバー26から照射する方向に対して反対側にオフセットした位置に、基板21の両端を保持する一対の保持溝27が長手方向全体に亘って形成されている。
【００１６】
樹脂カバー26には、発光モジュール16からの光を樹脂カバー26から照射する方向に対して反対側の外面に、窪み部28が長手方向全域に亘って形成されている。窪み部28は、樹脂カバー26の内側に突出する窪み形成部29によって断面楕円形状の空間に形成されている。樹脂カバー26の外面に開口する窪み部28の開口部の幅は窪み部28内の最大幅より小さく形成され、その窪み部28の開口部の両側に固定部材13を窪み部28内に保持するための保持部30が突出形成されている。
【００１７】
一方の口金18は、給電側口金で、端面から一対の略Ｌ字形の給電端子32が突設されている。この口金18は、樹脂カバー26の一端に挿入されて固定されている。一対の給電端子32は発光モジュール16に電気的に接続されている。
【００１８】
他方の口金19は、非給電側口金で、端面から１本の略Ｔ字形の非給電端子33が突設されている。この口金19は、樹脂カバー26の他端に挿入されて固定されている。
【００１９】
また、不燃シート12は、不燃材料であるガラス繊維を基材として細長い長方形の薄いシート状に形成され、不燃性とともに透光性および柔軟性を有している。不燃シート12の長手方向の長さは、樹脂カバー26の長手方向の長さと同じかそれよりも長く形成され、また、不燃シート12の短手方向の長さは、少なくとも樹脂カバー26の外周面の周方向における窪み部28を除いた長さより長く、不燃シート12の短手方向の両側部12aが一緒に窪み部28に入り込むことが可能な長さに形成されている。
【００２０】
また、固定部材13は、例えばアルミニウムなどの金属製で、窪み部28に嵌め込み可能とする断面楕円形状に形成されているとともに樹脂カバー26の長手方向の長さと同じ長さに形成されている。
【００２１】
そして、直管形ランプ10の製造工程において、図１(a)に示すように、不燃シート12を樹脂カバー26の外周面に沿って巻き付け、不燃シート12の両側部12aを窪み部28上もしくは窪み部28内に押し込んで配置する。続いて、図１(b)に示すように、固定部材13を、樹脂カバー26の径方向から不燃シート12の両側部12aを介して窪み部28に押し込んで嵌め込む。
【００２２】
これにより、窪み部28に嵌めこまれた固定部材13は、窪み部28の開口部の両側に設けられている保持部30によって窪み部28内に保持され、不燃シート12の両側部12aを窪み部28（窪み部形成部29）との間に挟み込んで固定した状態を維持する。そのため、固定部材13を樹脂カバー26の窪み部28に嵌め込む１回の操作により、不燃シート12を樹脂カバー26に容易に固定することができる。
【００２３】
固定部材13を窪み部28に嵌め込む際に、固定部材13で不燃シート12の両側部12aを窪み部28に引き込むため、不燃シート12が樹脂カバー26の外周面に圧着し、不燃シート12のしわや弛みの発生を防止することができる。さらに、不燃シート12の両側部12aの長手方向全域に亘って樹脂カバー26と固定部材13との間で挟み込んで固定しているため、不燃シート12の形状を維持できる。
【００２４】
また、固定部材13は金属製であるため、ＬＥＤ素子23が発生する熱を樹脂カバー26を通じて吸収し、空気中に効率よく放熱することができる。
【００２５】
また、図２には、直管形ランプ10を用いる照明器具であって、直管形ランプ10が露出する車両用の照明器具40を示す。この照明器具40は、器具本体41を有し、この器具本体41の両端近傍にソケット42，43が配設され、器具本体41の上面に点灯装置44が配設されている。一方のソケット42は、給電側ソケットであり、直管形ランプ10の口金18の給電端子32が着脱可能に装着され、点灯装置44からの電力を直管形ランプ10に供給する。他方のソケット43は、非給電側ソケットであり、直管形ランプ10の口金19の非給電端子33が着脱可能に装着される。
【００２６】
そして、本実施形態の直管形ランプ10では、樹脂カバー26を不燃シート12で覆うため、不燃性および飛散防止効果を得ることができ、さらに、１つの固定部材13により、管体17である樹脂カバー26の長手方向に沿って不燃シート12の両側部12aを樹脂カバー26との間に挟み込んで固定できるため、不燃シート12を樹脂カバー26に容易に固定することができ、不燃シート12の形状維持も確実にできる。
【００２７】
しかも、発光モジュール16からの光の照射方向に対して反対側となる樹脂カバー26の外面に窪み部28を長手方向に沿って形成し、この窪み部28に不燃シート12の両側部12aとともに固定部材13を嵌め込むことにより、不燃シート12を樹脂カバー26に固定できるため、光の照射に影響がなく不燃シート12を固定できるとともに、固定部材13が窪み部28に収容できて直管形ランプ10の外観も良好に保つことができる。
【００２８】
次に、第２の実施形態を、図３を参照して説明する。なお、第１の実施形態と同様の構成および作用については、同じ符号を用いてその説明を省略する。
【００２９】
管体17は、断面半環状の樹脂カバー26と、断面半円状の金属カバー50とで構成されている。金属カバー50は、例えばアルミニウムなどの金属製で、樹脂カバー26に対向する側に平面部51が形成され、この平面部51に発光モジュール16が熱的に接続されて取り付けられている。平面部51の両側部近傍には、樹脂カバー26の両側部26aが嵌り込む一対の窪み部52が長手方向全域に亘って形成されている。
【００３０】
不燃シート12の短手方向の長さは、少なくとも樹脂カバー26の外周面の周方向における長さより長く、不燃シート12の短手方向の両側部12aが樹脂カバー26の両側部26aの内側に巻き込むことが可能な長さに形成されている。
【００３１】
固定部材13は、金属カバー50であり、この金属カバー50の窪み部52と樹脂カバー26の両側部26aとの間で不燃シート12の両側部12aを挟み込んで固定する。
【００３２】
そして、直管形ランプ10の組立時において、不燃シート12を樹脂カバー26の外周面に沿って巻き付け、不燃シート12の両側部12aを樹脂カバー26の両側部26aの内側に巻き込む。不燃シート12を介して樹脂カバー26の両側部26aを金属カバー50の窪み部52に嵌め込む。そのため、金属カバー50の窪み部52に樹脂カバー26の両側部26aに嵌め込む１回の操作により、不燃シート12を樹脂カバー26に容易に固定することができる。なお、樹脂カバー26の両側部26aと金属カバー50の窪み部52とは、例えば接着剤で接着固定してもよい。
【００３３】
また、固定部材13が金属カバー50であるため、ＬＥＤ素子23が発生する熱を金属カバー50に効率よく熱伝導され、金属カバー50から空気中に効率よく放熱することができる。
【００３４】
このように、本実施形態の直管形ランプ10では、樹脂カバー26を不燃シート12で覆うため、不燃性および飛散防止効果を得ることができる。
【００３５】
さらに、１つの固定部材13により、長手方向に沿って不燃シート12の両側部12aを樹脂カバー26との間に挟み込んで固定できるため、不燃シート12を樹脂カバー26に容易に固定することができ、不燃シート12の形状維持も確実にできる。
【００３６】
しかも、管体17を樹脂カバー26と金属カバー50とで構成し、固定部材13を金属カバー50とするため、特別な固定部材を用いなくても、樹脂カバー26と金属カバー50との間で不燃シート12の両側部12aを挟み込んで固定することができる。
【００３７】
なお、１つの固定部材13であれば部品点数を削減できるが、直管形ランプ10の長い場合には、固定部材13は複数に分割されていた方が組立性の点で好ましいことがあるため、１つの固定部材13に限らず、複数の固定部材13を用いてもよい。
【００３８】
また、前記実施形態の直管形ランプ10は、車両用の照明器具40に限らず、一般照明用照明器具に用いることもできる。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
10    直管形ランプ
12    不燃シート
13    固定部材
16    発光モジュール
17    管体
23    半導体発光素子としてのＬＥＤ素子
26    樹脂カバー
28    窪み部
40    照明器具
41    器具本体
50    金属カバー
【図１】
2013201102.tif 000003
【図２】
2013201102.tif 000004
【図３】
2013201102.tif 000005